(57)【要約】【課題】加熱室の温度が予め設定した温度（例えば、２８０℃）になると、冷却ファンの送風量を増加する（例えば、５０％動作から７５％動作）ようになっているため、冷却ファンの送風量を増加した分、加熱室全体が冷却されて、加熱室温度の立上げ時間が多少遅くなる、加熱室の設定温度を多少低くなる等の課題を有していた。【解決手段】加熱室２の底面に、導波管９とマグネトロン１０部近傍は切り欠き部があって、スチームヒータ１４部には、スチームヒータ１４を覆う形状の絞り部１７がある断熱板シタ１８で覆われている。【選択図】図３
2011149607.tif 000002
【特許請求の範囲】
【請求項１】
食品を収納する加熱室と、前記食品を高周波加熱する高周波加熱手段と、前記食品をヒータ加熱するヒータと、前記食品をスチーム加熱するスチームヒータと、部品を冷却する送風装置と、前記送風装置の風量を制御する制御装置と、前記送風装置と前記送風装置の風量を制御する制御装置を具備する底板とを備え、
前記加熱室の底面と前記底板の空間にあって、前記加熱室の底面全体を覆う断熱板を備えたことを特徴とする加熱調理器。
【請求項２】
前記断熱板の略後方に、スチームヒータの溶けた金属を受けるための絞り部を設けた請求項１に記載の加熱調理器。
【請求項３】
前記断熱板の略後方に、スリットによって仕切られた熱源を感知する所に温度スイッチを設けた請求項１または２に記載の加熱調理器。
【請求項４】
前記断熱板に、切起こしによって形成された略Ｌ状の引掛け部を設けた請求項１〜３のいずれか１項に記載の加熱調理器。
【請求項５】
前記断熱板に、略中央に導波管の穴を塞ぐ突起部を形成した請求項１〜４のいずれか１項に記載の加熱調理器。
【請求項６】
前記断熱板の側面は、加熱室の底面より広くして、前記加熱室から出た水を受ける構成にした請求項１〜５のいずれか１項に記載の加熱調理器。
【請求項７】
前記断熱板の端面又は切り欠き部近傍に、フランジ又は絞り部を設けて、前記加熱室から出た水が底板にこぼれ落ちない構成した請求項１〜６のいずれか１項に記載の加熱調理器。
【発明の詳細な説明】
【技術分野】
【０００１】
本発明は、加熱調理器の組込みにおける部品保護とオーブン性能改善及び安全性に関するものである。
【背景技術】
【０００２】
従来、この種の加熱調理器としては、加熱室の温度が予め設定した温度（例えば、２８０℃）になると、冷却ファンの送風量を増加する（例えば、５０％動作から７５％動作）ようにして、設置形態の影響を抑えるものがある（例えば、特許文献１参照）。
【先行技術文献】
【特許文献】
【０００３】
【特許文献１】特開２００８−５１４４７号公報
【発明の概要】
【発明が解決しようとする課題】
【０００４】
しかしながら、前記従来の構成では、加熱室の温度が予め設定した温度（例えば、２８０℃）になると、冷却ファンの送風量を増加する（例えば、５０％動作から７５％動作）ようになっているため、冷却ファンの送風量を増加した分、加熱室全体が冷却されて、加熱室温度の立上げ時間が多少遅くなる、加熱室の設定温度を多少低くなる等の課題を有していた。
【０００５】
本発明は、前記従来の課題を解決するもので、組込みにおける部品の保護とオーブン性能改善及び安全性を確保できる加熱調理器の提供を目的とする。
【課題を解決するための手段】
【０００６】
前記従来の課題を解決するために、本発明の加熱調理器は、食品を収納する加熱室と、前記食品を高周波加熱する高周波加熱手段と、前記食品をヒータ加熱するヒータと、前記食品をスチーム加熱するスチームヒータと、部品を冷却する送風装置と、前記送風装置の風量を制御する制御装置と、前記送風装置と前記送風装置の風量を制御する制御装置を具備する底板とを備え、前記加熱室の底面と前記底板の空間にあって、前記加熱室の底面全体を覆う断熱板を備えたものである。
【０００７】
このことによって、加熱調理器の組込みにおける部品の保護とオーブン性能改善及び安全性を確保できるものである。
【発明の効果】
【０００８】
本発明によれば、加熱調理器の組込みにおける部品の保護とオーブン性能改善及び安全性を確保できる加熱調理器を実現する。
【図面の簡単な説明】
【０００９】
【図１】本発明の実施の形態１における加熱調理の外装部を外して斜め後から見た斜視図
【図２】本発明の実施の形態１における加熱調理の外装部と底部と断熱板下を外して斜め下から見た斜視図
【図３】本発明の実施の形態１における加熱調理の外装部と底部を外して斜め下から見た斜視図
【図４】本発明の実施の形態１における加熱調理の外装部とオーブンユニットを外して斜め後から見た斜視図
【図５】本発明の実施の形態１における加熱調理の外装部とオーブンユニットを外して断熱板下を見た斜視図
【図６】本発明の実施の形態１における加熱調理を斜め後ろから見た外観斜視図
【図７】本発明の実施の形態１における加熱調理を斜め下から見た外観斜視図
【図８】本発明の実施の形態１における加熱調理の外装部とオーブンユニットを外して断熱板下を見た斜視図
【図９】本発明の実施の形態２における加熱調理器の外装部を外して逆さまにシ斜め前から見た斜視図
【発明を実施するための形態】
【００１０】
第１の発明は、食品を収納する加熱室と、前記食品を高周波加熱する高周波加熱手段と、前記食品をヒータ加熱するヒータと、前記食品をスチーム加熱するスチームヒータと、部品を冷却する送風装置と、前記送風装置の風量を制御する制御装置と、前記送風装置と前記送風装置の風量を制御する制御装置を具備する底板とを備え、前記加熱室の底面と前記底板の空間にあって、前記加熱室の底面全体を覆う断熱板を備えたものである。これにより、加熱室底面からの熱放出を抑えることができるため、加熱室温度の立上げ時間を速くできる。
【００１１】
しかも、冷却ファンの送風量は変えないため、加熱室２の設定温度の低下は起こらない。また、加熱室底面からの熱放出を抑えた分、ヒータの通電率を少なくできることも相まって、本体内と外郭の間を流れる冷却風の温度を低くできるため、底板にある部品温度及び、排気カバーから排気される排気温度を低くできることで木壁温度も低くできる。加熱調理器の設置形態における部品の保護とオーブン性能改善及び安全性を確保することができる。
【００１２】
第２の発明は、断熱板下の略後方に、スチームヒータの溶けた金属を受けるための絞り部を設けたものである。これにより、スチームヒータが溶けても絞り部で受けるため、底板にある部品に損傷を与えないため、安全性が向上できる。
【００１３】
第３の発明は、断熱板下の略後方に、スリットによって仕切られた熱源を感知する所に温度スイッチを設けたものである。これにより、通常使用では動作せず、異常使用時に確実に動作でき安全にできる。
【００１４】
第４の発明は、断熱板下に、切起こしによって形成された略Ｌ状の引掛け部を設けたものである。これにより、底板ユニットを引掛け部によりきちんと固定できるため、サービス時の安全に部品交換、確認作業が効率良くできる。
【００１５】
第５の発明は、断熱板下に、略中央に導波管の穴を塞ぐ突起部を形成したものである。これにより、導波管の穴からの電波漏れを軽減できるため、安全性を向上できる。
【００１６】
第６の発明は、断熱板下の側面は、加熱室の底面より広くして、前記加熱室から出た水を受ける構成にしたものである。これにより、加熱室から出た水をきちんと受けることで、底板ユニットにある電気部品にかからないようにできるため、安全性が向上できる。
【００１７】
第７の発明は、断熱板下の端面又は切り欠き部近傍に、フランジ又は絞り部を設けて、前記加熱室から出た水が底板にこぼれ落ちない構成した水がこぼれない構成したものである。これにより、断熱板に水が浸入しても、底板ユニットにある電気部品にかからないようにできるため、安全性が向上できる。
【００１８】
以下、本発明の実施の形態について、図面を参照しながら説明する。なお、本実施の形態によって本発明が限定されるものではない。
【００１９】
（実施の形態１）
図１は、本発明の第１の実施の形態における加熱調理器の外装部を外して斜め後ろから見た斜視図、図２は、本発明の加熱調理器の外装部と底部と断熱板下を外して斜め下から見た斜視図、図３は本発明の加熱調理器の外装部と底部を外して斜め下から見た斜視図である。
【００２０】
図１、図２、図３において、加熱調理器の本体１の内部には、加熱室２が有り、加熱室２の前面には、回動自在に開閉できるドア３が有る。加熱室２の上面には、上ヒータユニット４が有り、上ヒータユニット４は、管状の上ヒータ（図示せず）が内蔵されていて、その上を断熱板ウエ５で覆われている。加熱室２の後面には、循環ファンヒータユニット６が有り、循環ファンユニット６は、シーズヒータ７が内蔵されていて、断熱板ウシロ８で覆われている。
【００２１】
加熱室２の下面の右中央には、導波管９を介してマグネトロン１０が取付けて有る。導波管９には、アンテナモータ取付板１１が取付けてあって、アンテナモータ取付板１１にアンテナモータ１２がビス止めされている。
【００２２】
加熱室２の下面の右後には、スチームヒータ取付板１３に、スチームヒータ１４が加熱室２のスチームを発生させるための水受け部底面に、密着するようにして取付けられている。加熱室２の両側面には、断熱板ミギ１５、断熱板ヒダリ１６があって、おのおのの側面全体を覆っている。加熱室２の底面には、導波管９とマグネトロン１０部近傍は切り欠き部があって、スチームヒータ１４には、スチームヒータ１４を覆う形状の絞り部１７がある断熱板シタ１８で覆われている。更に、断熱板シタ１８は、加熱室２の両側にある断熱板ミギ１５、断熱板ヒダリ１６の下部をそれぞれ覆うように構成している。
【００２３】
断熱板シタ１８のスチームヒータ１４部近傍には、スチームヒータ１４の異常動作を検出する温度スイッチ１９が取付けられている。更に、左後に、略Ｌ状の切起こし部２０が有り、その右側に上方向に凸状の絞り部２１が有り、中央左の導波管９には、導波管９に設けた穴２２を塞ぐ突起部２３が設けて有る。加熱室２の下方には底面の外郭を兼ねる底板ユニット２４が構成されている。
【００２４】
図４は、本発明の加熱調理器の外装部とオーブンユニットを外して斜め後から見た斜視図である。
【００２５】
図４において、底板ユニット２４には、左後にインバータユニット２５を冷却するインバータ冷却ファンユニット２６が有り、右後には、マグネトロン１０を冷却するマグネトロン冷却ファンユニット２７が有り、左前には電波加熱、ヒータ加熱、スチーム加熱、冷却ファンの動作を制御する制御ユニット２８備わっている。
【００２６】
図５は、本発明の実施の形態１における加熱調理器の外装部とオーブンユニットを外して断熱板下を見た斜視図である。
【００２７】
図５において、断熱板下１７には、右後側に、スチームヒータ１４を覆う形状の絞り部１７が有る。更に、左後側に、略Ｌ状の切起こし部２０が有り、その右側に上方向に凸状の絞り部２１が有る。更に、中央左の導波管部に、導波管９に設けた穴２２を塞ぐ突起部２３が設けて有る。
【００２８】
図６は、本発明の加熱調理器を斜め後から見た外観斜視図、図７は、本発明の加熱調理器を斜め下から見た外観斜視図である。
【００２９】
図６、図７において、加熱調理器の本体１は、ボディ３１と裏板３２で覆われていて、裏板３２の上部には、排気カバー３３が設けて有り、排気カバー３３は、加熱調理器の本体１の内部からの熱気を、前方斜め上に排気するようにしている。底板ユニット２４の底板３４には、左後側にインバータ冷却ファンユニット２６用の吸気口３５が、右後にマグネトロン冷却ファンユニット２７用の吸気口３６が設けて有る。
【００３０】
次に、オーブン調理を例にとって動作、作用について説明する。
【００３１】
図１〜図７において、加熱室２に食品を入れ、ドア３の下側にある操作部の操作キー（図示せず）により、加熱モード（ここではオーブン）と時間を設定した後、スタートキー（図示せず）を押して、オーブン調理を開始すると上ヒータユニット４、あるいは、循環ファンヒータユニット６に通電され、制御ユニット２８のマイコン（図示せず）にプログラムされた加熱制御パターンで、加熱室２を加熱していく。加熱室２の温度は、加熱室２の正面から見て右奥に設けられたサーミスタ（図示せず）が随時検出し、制御ユニット２８のマイコン（図示せず）に温度情報を送り、上ヒータユニット４、あるいは、循環ファンヒータユニット６への通電のＯＮ、ＯＦＦ制御を行い、設定温度に加熱する。設定した時間が完了したら加熱動作を停止する。
【００３２】
一方、調理を開始すると、しばらく経過してから底板ユニット２４に設けたインバータ冷却ファンユニット２６のシロッコファン（図示せず）が回転して、底板ユニット２４の底板３４に設けて有るインバータ冷却ファンユニット２５用吸気口３５アから、本体１外の冷気を導入して、インバータ冷却ファンユニット２６の送風口４１及びインバータユニット２５の送風口４２と送風口４３から制御ユニット２８に送風されて、制御ユニット２８の電気部品を冷却する。
【００３３】
その後、加熱室２の両側にある断熱板ミギ１５、断熱板ヒダリ１６、循環ファンヒータユニット６の断熱板後８を通り、排気カバー３３のルーバー開口（図示せず）から前方斜め上に排気される。又加熱室２内の熱気は、加熱室２内に設けたパンチング穴（図示せず）から、排気されてから、排気ガイド４４を通って、断熱板ウシロ８の左上部に一旦排気されて、前記説明の排気風と合流した後、排気カバー３３のルーバー開口（図示せず）から前方斜め上に排気される。
【００３４】
ここで、前記説明の加熱調理器が、左方、右方、後方、上方を木壁で囲まれる設置、いわゆる組込状態で使用されると、本体１の熱気は、木壁内でこもるため、本体１外と木壁間の空気温度が高くなってくる。そうすると、底板ユニット２４の底板３４に設けて有るインバータ冷却ファンユニット２６用吸気口ア３５から吸気される吸気温度も当然高くなり、底板ユニット２４内にある部品の冷却が悪化すると伴に、排気カバー３３のルーバー開口（図示せず）から排気される排気温度も高くなり、木壁温度も悪化すことになる。
【００３５】
従来は、加熱室２の温度が予め設定した温度（例えば、２８０℃）になると、インバータ冷却ファンユニット２６の送風量を増加する（例えば、通常運転における最高能力の５０％動作から７５％動作）対処方法をとっているが、加熱室２の立上げ時間が多少遅くなるとか、加熱室２の設定温度が多少低くなる等の影響が出ていた。
【００３６】
そこで、本実施の形態では、加熱室２の底面全体を覆う断熱板シタ１８を設けることで、加熱室２底面からの熱放出を抑えることができるため、加熱室２の立上げ時間を速くできる。また、インバータ冷却ファンユニット２６の送風量は変えないので、加熱室２の設
定温度の低下は起こらない。又、加熱室２底面からの熱放出を抑えた分、上ヒータユニット４と循環ファンユニット６の通電率を少なくできることも相まって、本体１内と外郭の間を流れる冷却風の温度を低くできるため、底板ユニット２４内にある部品温度及び、排気カバー３３のルーバー開口（図示せず）から排気される排気温度を低くできることで、木壁温度も低くできる。
【００３７】
次に、スチーム調理を例にとって動作、作用について説明する。
【００３８】
図１〜図７において、加熱室２に食品を入れ、ドア３の下側にある操作部の操作キー（図示せず）により、加熱モード（ここでは、スチーム加熱モード）と時間を設定した後、スタートキー（図示せず）を押して、スチーム調理を開始すると、底板ユニット２４に設けてある給水ポンプ（図示せず）が動作し、水タンク５１のある水を給水パイプ（図示せず）と給水ノズル（図示せず）を通じ、加熱室２の正面から見て左後にある水受け部（図示せず）に送る。水受け部（図示せず）の水が所定の量になると、スチームヒータ１４に通電され、制御ユニット２８のマイコン（図示せず）にプログラムされた加熱制御パターンで、スチームヒータ１４へ通電される。
【００３９】
スチームヒータ１４の温度は、スチームヒータ１４部に取付られたサーミスタ（図示せず）が随時検出し、制御ユニット２８のマイコン（図示せず）に温度情報を送り、スチームヒータ１４への通電のＯＮ、ＯＦＦ制御によって制御されて、水受け部（図示せず）の水が加熱され、蒸気となって加熱室２内に充満して食品を加熱する。食品の加熱温度は、スチームヒータ１４に断熱板シタ１７を介して設けられたサーミスタ（図示せず）の検出温度よって制御される。設定した時間が完了したら加熱動作を停止する。
【００４０】
一方、調理を開始すると同時に、底板ユニット２４に設けたインバータ冷却ファンユニット２６のシロッコファン（図示せず）が回転して、底板ユニット２４の底板３４に設けているインバータ冷却ファンユニット２６用吸気口３５アから、本体１外の冷気を導入して、インバータ冷却ファンユニット２６の送風口４１及びインバータユニット２５の送風口４２と送風口４３から、制御ユニット２８に送風されて、制御ユニット２８の電気部品を冷却する。
【００４１】
同時に、底板ユニット２４に設けたマグネトロン冷却ファンユニット２６のシロッコファン（図示せず）が回転して、底板ユニット２４の底板３４に設けているマグネトロン冷却ファンユニット２７用の吸気口３６イから本体１外の冷気を導入して、マグネトロン冷却ファンユニット２７の送風口４５から送風されて、マグネトロン１０を冷却する。その後、エアーガイドＣ４６通り、断熱板ヒダリ１６に送られ、加熱室２に入る流れと断熱板ヒダリ１６の外に送風される流れに二分される。その後、加熱室２の両側にある断熱板ミギ１５、断熱板ヒダリ１６、循環ファンヒータユニット６の断熱板後７を通り、排気カバー３３のルーバー開口（図示せず）から前方斜め上に排気される。
【００４２】
また、加熱室２内の蒸気は、加熱室２内に設けパンチング穴（図示せず）から、排気されてから、排気ガイド４４を通って、断熱板ウシロ８の左上部に一旦排気されて、前記説明の排気風と合流してから、排気カバー３３のルーバー開口（図示せず）から前方斜め上に排気される。
【００４３】
ここで、スチームヒータ１４は、加熱室２の水受け部（図示せず）を効果的に加熱するため、シーズヒータ（図示せず）をアルミダイキャストでモールドした構造をとっているが、スチームヒータ１４部の下方に、部品が配置されていることもあって、断熱板シタ１８のスチームヒータ１４部に、スチームヒータ１４全体を覆う形状の絞り部１７を形成している、このことによって、スチームヒータ１４動作に異常があって、万一はスチームヒ
ータ１４のアルミが溶けたとしても、前記絞り部１７で溶けたアルミを受けることができるため、スチームヒータ１４部の下方に配置された部品の類焼を防止できる。
【００４４】
また、断熱板シタ１８のスチームヒータ１４部近傍には、スチームヒータ１４の異常温度上昇を検出する温度スイッチ１９を取付けている。このことによって、スチームヒータ１４の異常温度上昇をきちんと検出することができ、安全に動作を停止できる。
【００４５】
更に、断熱板シタ１８は、加熱室２の底面を覆うと伴に、加熱室２の両側にある断熱板ミギ１５と断熱板ヒダリ１６をも覆う形状とし、前後方向の端面６１、端面６２と中央から右側に形成された切欠部６３の端面６４と切欠穴部６５と切り欠き部６６には、バーリングを設け、略Ｌ状の切起こし部２０の近傍には、上方向に凸状の絞り部２１が設ける構成とすることによって、スチーム調理時に加熱室２から断熱板ミギ１５、断熱板ヒダリ１６を伝わってきた水を、きちんと断熱板シタ１８受けることができるので、加熱室２の下方にある底板ユニットの部品まで落ちていかないため、安全性の向上が図れる。
【００４６】
図８は、本発明の加熱調理器の外装部とオーブンユニットを外して斜め後から見た斜視図である。
【００４７】
図８において、断熱板１８のスチームヒータ１４部近傍にある温度スイッチ１９の取付部周辺に、スリット５５を形成している。このことによって、オーブン動作時の熱による影響を抑えることができため、誤動作を無くすことができる。
【００４８】
次に、電子レンジ調理を例にとって動作、作用について説明する。
【００４９】
図１〜図７において、加熱室２に食品を入れ、ドア３の下側にある操作部の操作キー（図示せず）により、加熱モード（ここでは、電子レンジ）と時間を設定した後、スタートキー（図示せず）を押して、電子レンジ調理を開始すると、インバータユニット２５に通電され、マグネトロン１０を駆動して、導波管９を通じて加熱室２のから加熱内に高周波が照射され、食品が加熱される。
【００５０】
この時、導波管９に、アンテナモータ取付板１１を介して取付けてあるアンテナモータ１２が回転して、高周波を撹拌することによって、食品を均一に加熱できる。設定した時間が完了したら加熱動作を停止する。一方、調理を開始すると同時に、底板ユニット２４に設けたインバータ冷却ファンユニット２６のシロッコファン（図示せず）が回転して、底板ユニット２４の底板３４に設けているインバータ冷却ファンユニット２６用吸気口３５から、本体１外の冷気を導入して、インバータ冷却ファンユニット２６の送風口４１及びインバータユニット２５の送風口４２と送風口４３から、制御ユニット２８に送風されて、制御ユニット２８の電気部品を冷却する。
【００５１】
同時に、底板ユニット２４に設けたマグネトロン冷却ファンユニット２７のシロッコファン（図示せず）が回転して、底板ユニット２４の底板３４に設けている、マグネトロン冷却ファンユニット２７用の吸気口３６イから本体１外の冷気を導入して、マグネトロン冷却ファンユニット２７の送風口４５から送風されてマグネトロン１０を冷却する。その後、エアーガイドＣ４６通り、断熱板左１６に送られ加熱室２に入る流れと、断熱板ヒダリ１６の外に送風される流れに二分される。
【００５２】
その後、加熱室２の両側にある断熱板ミギ１５、断熱板ヒダリ１６、循環ファンヒータユニット６の断熱板後７を通り、排気カバー３３のルーバー開口（図示せず）から前方斜め上に排気される。また、加熱室２内の蒸気は、加熱室２内に設けたパンチング穴（図示せず）から排気されてから、排気ガイド４４を通って、断熱板ウシロ８の左上部に一旦排
気されて、前記説明の排気風と合流してから、排気カバー３３のルーバー開口（図示せず）から前方斜め上に排気される。
【００５３】
ここで、マグネトロン１０の高周波エネルギーを加熱室２に供給する方法として、マグネトロン１０と加熱室２の間に、導波管９を介在させる構成をとるのが一般的である。導波管９は、板金の絞りや曲げで形成されて、加熱室２にスポットやカシメ工法にて締結される。スポット、カシメ位置は通常、造形の外側を基本とするが、構造によって、締結を良くするために、導波管９に穴２２を設け内側５６にスポットやカシメを余儀なくされる。この場合、穴径は高周波が漏れ難い寸法に設定するが、安定性に欠ける。前記導波管９の穴２２からの高周波の漏れを軽減するために、断熱板シタ１８に、導波管９の穴２２を塞ぐ形状の突起部２３に設ける。
【００５４】
このことによって、前記導波管９の穴２２と突起部２３が電気的に導通することで、導波管９の穴２２が電気的に塞がることで高周波の漏れを軽減できるものである。
【００５５】
（実施の形態２）
図９は、本発明の第２の実施の形態における加熱調理器の外装部を外して逆さまにし、斜め後から見た斜視図である。
【００５６】
図９において、底板ユニット２４にある電気部品、構造部品を補修、点検する時は、図９の様に、加熱調理器の外装部のボディ３１を外し、本体１を逆さまにしてから、底板ユニット２４を起こして本体１の後方に立てる必要が有る。この時、底板ユニット２４は、リードセンハーネス（図示せず）によって、本体１と繋がっているため、本体１から遠くに離なすことができないので、加熱室２を覆っている断熱板シタ１８上に置くようになるが、底板ユニット２４には部品が有るため重くなっていて、固定が不安定になっている。そこで、断熱板シタ１８に、略Ｌ状の切起こし部２０を設けたものである。このことによって、底板ユニット２４の底板３４の一部を、前記略Ｌ状の切起こし部２０に引掛けて固定でき、底板ユニット２４を確実に保持できるので、底板ユニット２４にある電気部品、構造部品を補修、点検がやり易くできるものである。
【００５７】
以上のように、本実施の形態によれば、加熱調理器の組込みにおける部品の保護とオーブン性能改善及び安全性を確保できるものである。
【産業上の利用可能性】
【００５８】
本発明は、加熱室の底面と前記底板の空間にあって、前記加熱室の底面全体を覆う断熱板を備えることにより、電気、家庭用および業務用の加熱調理器に適用できる。
【符号の説明】
【００５９】
１  本体
２  加熱室
３  ドア
４  上ヒータユニット
５  断熱板ウエ
６  循環ファンユニット
８  断熱板ウシロ
１０  マグネトロン
１４  スチームヒータ
１５  断熱板ミギ
１６  断熱板ヒダリ
１８  断熱板シタ
２０  略Ｌ状の切起こし部
２１  凸状のリブ部
２３  突起部
２４  底板ユニット
２５  インバータユニット
２６  インバータ冷却ファンユニット
２７  マグネトロン冷却ファンユニット
２８  制御ユニット
３２  裏板
３３  排気カバー
３４  底板
３５  吸気口ア
３５  吸気口イ
５１  水タンク
５５  スリット部
６１  端面
【図１】
2011149607.tif 000003
【図２】
2011149607.tif 000004
【図３】
2011149607.tif 000005
【図４】
2011149607.tif 000006
【図５】
2011149607.tif 000007
【図６】
2011149607.tif 000008
【図７】
2011149607.tif 000009
【図８】
2011149607.tif 000010
【図９】
2011149607.tif 000011